(57)【要約】      （修正有）【課題】コンパクトで、衛生的で、かつ、包装作業がしやすい、衣類用パッケージを提供する。【解決手段】この衣類用パッケージは、芯板３００にタイツ４００を３重程度に巻き付けて、それらをパッケージ本体１００に内包し、芯板３００およびタイツ４００が内包されたパッケージ本体１００に透明の外装フィルム２００を被せて構成される。この衣類用パッケージは、芯板３００にタイツ４００を巻き付けるのでコンパクトであって、パッケージ本体１００の表面１４０に切欠部１２０があるのでタイツ４００の色を確認しやすく、外装フィルム２００があるので衛生的である。【選択図】図３
2013180796.tif 000002
【特許請求の範囲】
【請求項１】
上部を吊り下げ可能とされた衣類用パッケージであって、
前記パッケージに内包される衣類を巻き付ける芯板と、
前記芯板に巻き付けられた衣類を収納することが可能な容積を備え、１枚の紙製または樹脂製のシートを折り曲げて形成された直方体形状のパッケージ本体と、
前記パッケージ本体の上面に設けられたフックを貫通する穴を備え、前記直方体形状に対応する袋状の外装フィルムとを含み、
前記パッケージ本体は、底面を備えず、かつ、上部を吊り下げたときの表面にはその底面側に切欠部を備えることを特徴とする衣類用パッケージ。
【請求項２】
前記表面には、前記衣類の商品名、素材、サイズ、色、特徴、機能、取扱注意事項、製造販売元および価格情報の少なくとも１つが、図形、記号および文字のいずれか、または、これらの組み合わせで表示されていることを特徴とする請求項１に記載の衣類用パッケージ。
【請求項３】
前記衣類は、長さＡのタイツまたはパンティストッキングであって、
前記芯板は、一辺の長さＡ／Ｎ（Ｎは４以上の数）程度の略正方形の形状を備え、前記芯板に（Ｎ／２）重程度に前記衣類が巻き付けられ、
前記パッケージ本体は、上部を吊り下げたときの奥行き方向が他の方向よりも薄く、かつ、前記表面の形状が高さ方向の寸法と幅方向の寸法とが略同じである略正方形であって、
前記芯板に巻き付けられた衣類の幅方向の寸法は、前記パッケージ本体の幅方向の内寸法よりも、吊り下げたときに前記芯板に巻き付けられた衣類が下方へ移動することができる程度に、小さいことを特徴とする、請求項１または請求項２に記載の衣類用パッケージ。
【発明の詳細な説明】
【技術分野】
【０００１】
本発明は、衣類の展示販売に用いられる衣類用パッケージに関し、特に、下半身用衣類であるタイツまたはパンティストッキング等の衣類の展示販売に用いられるコンパクトな衣類用パッケージに関する。
【背景技術】
【０００２】
一般に、衣類は、需要促進、販売促進、購買意欲喚起等のため、新素材の利用、着用性、体形補正等の各種の機能性向上や種々の改良が行われ、それらの改良がなされた衣類を展示販売するために、衣類に適したパッケージが種々工夫されている。
たとえば、特許文献１（実開昭５６−４５５５号公報）は、裏装片の左右両側に衣類吊り下げ片と表装片とを前面側に召し合わせ状態に折り曲げ可能に連設し、衣類吊り下げ片を先に裏装片の前面側に折り曲げて、この衣類吊り下げ片（の上縁）に衣類（靴下）を上下方向に２つ折り状態で吊り下げ、その上に表装片を折り重ねて、この表装片の端部の係止片を裏装片の裏面側の係止孔に差し込んで止めるようにし、裏装片の上端に形成したフック部で吊り下げるようにした靴下吊り下げ具を開示する。
【０００３】
ところで、この靴下吊り下げ具では、販売に際し、衣類の特性、機能等をアピールし易い形態、機能等を十分に備えているとは言えない。これに鑑み、本出願の出願人により出願され公開された特許文献２（特開２００８−２７３５２８号公報）に、包装作業がし易く、衣類のずれや包装形態の崩れも防止でき、衣類の特性や機能等をアピールし易い形態や機能を備えた衣類用パッケージが開示されている。
【０００４】
この特許文献２は、全体が１枚のシートで構成され、上部を吊り下げ可能とされた衣類用パッケージであって、上下方向に沿う折り目部を介して左右方向に折り曲げ可能に連設された表装片及び裏装片と、前記裏装片の上下に左右方向に沿う折り目部を介して上下方向に折り曲げ可能に連設された上部中間片と下部中間片とを備え、前記下部中間片は、衣類の上端側を裏装片側に折り込み状態で挟持するように折り曲げられ、かつ、前記上部中間片は、前記下部中間片の上から衣類の上端側を押圧挟持するように折り曲げられ、前記表装片と裏装片とは、前記上下部中間片で挟持された衣類を表裏から挟持した状態で前記折り目部から折り曲げて裏面側で連結保持可能とされていることを特徴とする衣類用パッケージを開示する。
【先行技術文献】
【特許文献】
【０００５】
【特許文献１】実開昭５６−４５５５号公報
【特許文献２】特開２００８−２７３５２８号公報
【発明の概要】
【発明が解決しようとする課題】
【０００６】
しかしながら、上述したいずれのパッケージも、衣類（靴下、ガードル等の下着）を吊り下げて販売する場合に好適であるものの、肌に当接する下着等が露出しているため、販売店において不特定の者が直接触れることができ衛生的ではなく、かつ、精算後に販売店がレジ袋にパッケージごと商品を入れる必要がありレジ袋を使用する点でエコではない。また、特許文献１に開示されたパッケージは靴下専用であって汎用性がない。さらに、コンビニエンスストア等の店舗の床面積が小さい販売店においては、パッケージが大きすぎて、多くの商品を陳列できないという問題がある。また、コンビニエンスストアで購入する場合には、即座に着用する場合もあり、そのような場合には（着用前に洗濯することもできないので）衛生面を気にする購入者も存在する。
【０００７】
本発明は、従来技術の上述の問題点に鑑みて開発されたものであり、その目的とするところは、コンパクトで、衛生的で、レジ袋が不要なためエコで、商品が比較的限定されず、かつ、包装作業がしやすい、衣類用パッケージを提供することを目的とする。
【課題を解決するための手段】
【０００８】
上記目的を達成するため、本発明の衣類用パッケージは以下の技術的手段を講じている
。
すなわち、本発明の衣類用パッケージは、上部を吊り下げ可能とされた衣類用パッケージであって、前記パッケージに内包される衣類を巻き付ける芯板と、前記芯板に巻き付けられた衣類を収納することが可能な容積を備え、１枚の紙製または樹脂製のシートを折り曲げて形成された直方体形状のパッケージ本体と、前記パッケージ本体の上面に設けられたフックを貫通する穴を備え、前記直方体形状に対応する袋状の外装フィルムとを含み、前記パッケージ本体は、底面を備えず、かつ、上部を吊り下げたときの表面にはその底面側に切欠部を備えることを特徴とする。
【０００９】
好ましくは、前記表面には、前記衣類の商品名、素材、サイズ、色、特徴、機能、取扱注意事項、製造販売元および価格情報の少なくとも１つが、図形、記号および文字のいずれか、または、これらの組み合わせで表示されているように構成することができる。
好ましくは、前記衣類は、長さＡのタイツまたはパンティストッキングであって、前記芯板は、一辺の長さＡ／Ｎ（Ｎは４以上の数）程度の略正方形の形状を備え、前記芯板に（Ｎ／２）重程度に前記衣類が巻き付けられ、前記パッケージ本体は、上部を吊り下げたときの奥行き方向が他の方向よりも薄く、かつ、前記表面の形状が高さ方向の寸法と幅方向の寸法とが略同じである略正方形であって、前記芯板に巻き付けられた衣類の幅方向の寸法は、前記パッケージ本体の幅方向の内寸法よりも、吊り下げたときに前記芯板に巻き付けられた衣類が下方へ移動することができる程度に、小さいように構成することができる。
【発明の効果】
【００１０】
本発明の衣類用パッケージによれば、コンパクトで、衛生的で、レジ袋が不要なためエコで、商品が比較的限定されず、かつ、包装作業がしやすい、衣類用パッケージを提供することができる。
【図面の簡単な説明】
【００１１】
【図１】本発明の実施の形態に係る衣類用パッケージの全体を示す斜視図である。
【図２】図１の衣類用パッケージを構成するパッケージ本体と外装フィルムとを分離させた状態の斜視図である。
【図３】図１の衣類用パッケージを構成するパッケージ本体と外装フィルムと芯板とを分離させた状態の斜視図である。
【図４】図１の衣類用パッケージを構成するパッケージ本体を底面側から見た斜視図である。
【図５】図１の衣類用パッケージを構成するパッケージ本体の展開状態の表面図および芯板の平面図（表面図）である。
【図６】図１の衣類用パッケージを構成するパッケージ本体の展開状態の裏面図および芯板の平面図（裏面図）である。
【発明を実施するための形態】
【００１２】
以下、本発明の実施の形態に係る衣類用パッケージ１０を、図面に基づき詳しく説明する。なお、以下においては、衣類用パッケージ１０に包装されて展示販売される衣類は、タイツ４００であるとして説明する。ここで、タイツには、パンティーストッキング型のタイツの一部（足首より先の部分やパンティ部等）を欠落させた、スパッツ、レギンスおよびトレンカ等の呼び名を有する形状のものも含み、女性用はもちろんのこと男性用も含むものとする。また、衣類用パッケージ１０に包装されて展示販売される衣類としては、タイツに限定されるものではなく、パンティストッキング、ロングガードル、靴下、レッグウォーマー、スカーフ等であっても構わない。薄手の衣類であって、平面的に折り畳んだ状態で略長方形の形状（長手方向の寸法が短手方向の寸法よりも相当長い）であって、長手方向に折り畳んだり巻いたりすることのできる衣類が、特に、この衣類用パッケージ１０に好ましい。また、以下においては、この衣類用パッケージ１０を展示販売するために吊り下げた状態における上下左右方向を基準として説明する。
【００１３】
図１に、本実施の形態に係る衣類用パッケージ１０の全体を示す斜視図を、図２に、衣類用パッケージ１０を構成するパッケージ本体１００と外装フィルム２００とを分離させ
た状態の斜視図を、図３に、衣類用パッケージ１０を構成するパッケージ本体１００と外装フィルム２００とタイツ４００が巻き付けられた状態の芯板３００とを分離させた状態の斜視図を、それぞれ示す。
【００１４】
これらの図から、この衣類用パッケージ１０は、芯板３００にタイツ４００を巻き付けて、それらをパッケージ本体１００に内包し、芯板３００およびタイツ４００が内包されたパッケージ本体１００に透明の外装フィルム２００を被せて構成される。
［パッケージ本体］
図４にパッケージ本体１００を底面から見た斜視図を、図５にパッケージ本体１００の展開状態の表面図（および芯板３００の平面図（表面図））を、図６にその裏面図（芯板３００の平面図（裏面図））を、それぞれ示す。このパッケージ本体１００は、図５および図６に示すように、１枚の紙製または樹脂製のシートを折り曲げて形成された、直方体形状の箱体である。
【００１５】
このパッケージ本体１００は、図４に示すように底面を備えず、厚み（または奥行き）寸法（左側面１４２、右側面１４６を形成する長方形の短辺の長さ）が、他の寸法（表面１４０を形成する略正方形の縦方向（高さ）長さＨ（１）および横方向（幅）長さＷ（１））に比べて小さい。また、このパッケージ本体１００は、平面形状を立体形状に折り曲げるときに用いられる、上方折り込み部１３２および側方折り込み部１４８を備えている。
【００１６】
このパッケージ本体１００は、芯板３００に巻き付けられたタイツ４００を収納することが可能な容積を備えている。また、パッケージ本体１００の上面１３０には、衣類用パッケージ１０を吊り下げるためのフック１１０が設けられている。さらに、このパッケージ本体１００は、フック１１０で上部を吊り下げたときの表面１４０にはその底面側に切欠部１２０を備える。本実施の形態においては、この切欠部１２０を表面１４０の右下側に略正方形の形状で設けているが、後述するように衣類用パッケージ１０が吊り下げられることにより芯板３００に巻き付けられたタイツ４００が重力によりパッケージ本体１００内で下方に下がり、そのタイツ４００が透明の外装フィルム２００を通して見える切欠部１２０であれば、その大きさおよび位置は限定されるものではない。
【００１７】
また、パッケージ本体１００の表面１４０（および／または裏面１４４）には、展示商品する商品であるタイツ４００の商品名、素材、サイズ、色、特徴、機能、取扱注意事項、製造販売元および価格情報の少なくとも１つが、図形、記号および文字のいずれか、または、これらの組み合わせで表示されている。
［芯板］
タイツ４００が巻き付けられる芯板３００は、タイツの長さＡに対して、一辺の長さＡ／Ｎ（Ｎは４以上の数）程度の略正方形の形状を備える。そして、芯板３００の略長方形の縦方向（高さ）長さＨ（２）および横方向（幅）長さＷ（２）は、以下のような特徴がある。なお、図３に示すようにタイツ４００の左足分と右足分とを重ねて畳んだ場合の寸法をＨ（３）とすると、芯板３００の縦方向（高さ）長さＨ（２）は、Ｈ（３）よりも大きく、パッケージ本体１００の縦方向（高さ）長さＨ（１）よりも少し短い（Ｈ（３）＜Ｈ（２）＜Ｈ（１））。
【００１８】
芯板３００には、長さＡのタイツ４００が（Ｎ／２）重程度に巻き付けられる。すなわち、Ａが７００ｍｍ程度であって、Ｎを６とすると、Ｈ（１）、Ｈ（２）、Ｗ（１）およびＷ（２）が、１００ｍｍ〜１２０ｍｍ程度で、タイツ４００が芯板３００に３重巻きされることになる。コンビニエンスストア等の販売店の床面積が小さい場合には、この１００ｍｍ〜１２０ｍｍ角程度の表面１４０を備え、厚み（左側面１４２、右側面１４６を形成する長方形の短辺の長さ）が２０ｍｍ程度の衣類用パッケージ１０が好ましい。この場合、芯板３００にはタイツ４００が３重程度に巻き付けられる。タイツ４００を芯板３００に巻き付ける方向は、図３に示すように、横方向とする。また、図３では、図が複雑になることを避けるために、タイツ４００を２重に巻き付けた図としている。
【００１９】
このようにタイツ４００を横方向に芯板３００に巻き付ける場合、
芯板３００の縦方向（高さ）長さＨ（２）は、芯板３００の横方向（幅）長さＷ（２）よ
りも長い。そして、芯板３００の縦方向（高さ）長さＨ（２）は、パッケージ本体１００の縦方向（高さ）長さＨ（１）よりも少し短い程度である。芯板３００の横方向（幅）長さＷ（２）は、パッケージ本体１００の横方向（幅）長さＷ（１）よりも（タイツ４００を巻き付ける分だけ）短い。すなわち、パッケージ本体１００と芯板３００との間において、高さ方向の比率（Ｈ（２）／Ｈ（１））（≒１）＞幅方向の比率（Ｗ（２）／Ｗ（１））となる。
【００２０】
そして、タイツ４００が３重程度に巻き付けられた芯板３００の横方向（幅）長さＷ（３）は、パッケージ本体１００の横方向（幅）長さＷ（１）よりも小さい。すなわち、芯板３００に巻き付けられたタイツ４００の横方向（幅）長さＷ（３）は、衣類用パッケージ１０を吊り下げたときに、芯板３００に巻き付けられたタイツ４００が下方へ移動することができる程度に、パッケージ本体１００の横方向（幅）長さＷ（１）（正確には内寸法であるがパッケージ本体１００を構成するシートの厚みは無視している）よりも小さい。
【００２１】
この場合において、タイツ４００は、芯板３００とともに下方へ移動しても、芯板３００から分離されて下方へ移動しても、いずれでも構わない。芯板３００に伸縮性のあるタイツ４００をきつめに巻き付けると、タイツ４００は、芯板３００とともに下方へ移動することが多いと考えられる（図３の矢印参照）。その一方、芯板３００に伸縮性のあるタイツ４００を緩めに巻き付けておくと、タイツ４００は、芯板３００から分離されてタイツ４００のみが下方へ移動することが多いと考えられる（図３の矢印参照）。タイツ４００のみが下方へ移動すると、切欠部１２０から芯板３００が見えずタイツ４００のみが見える点で好ましい。
【００２２】
なお、タイツ４００を縦方向に芯板３００に巻き付ける場合には、上述の縦横方向を入れ替えた寸法となる。
［外装フィルム］
外装フィルム２００は、立体形状に構成されたパッケージ本体１００に対応する直方体形状を備える透明の袋状のフィルムである。パッケージ本体１００の表面１４０が外装フィルム２００の表面２４０に、パッケージ本体１００の左側面１４２が外装フィルム２００の左側面２４２に、パッケージ本体１００の裏面１４４が外装フィルム２００の裏面２４４に、パッケージ本体１００の右側面１４６が外装フィルム２００の右側面２４６に、パッケージ本体１００の上面１３０が外装フィルム２００の上面２３０に、パッケージ本体１００の底面が外装フィルム２００の底面２５０に、それぞれ当接する。
【００２３】
この外装フィルム２００は、たとえば１枚の薄い二軸延伸ポリプロピレンフィルムを裁断して、左側面２４２および右側面２４６の接着線で表裏を接着して立体形状としている。右側面２４６の接着線２４８のみを図示している。パッケージ本体１００は、立体形状に構成されたパッケージ本体１００に被せることのできる程度に、パッケージ本体１００の体積よりも大きい内容積を備える。この外装フィルム２００は、パッケージ本体１００の上面２３０に設けられたフック１１０を貫通する穴部２３２を備える。この穴部２３２は、フック１１０が貫通することができる程度の大きさである。
【００２４】
また、この外装フィルム２００の上面２３０は、裏面側に折り返す折り返し部２３４を備えている。この折り返し部２３４の開放端部と、外装フィルム２００の裏面２４４とが、接着テープ等で接合される。
［包装方法および展示販売方法］
以上のような構造を備える本実施の形態に係る衣類用パッケージ１０を使用したタイツ４００の包装方法および展示販売方法について説明する。
【００２５】
図５および図６に示す芯板３００を縦方向が長くなるように載置して（芯板３００の表裏は問わない）、タイツ４００を、図３に示すように、横方向に３重程度に巻き付ける。
図５および図６に示すシート状のパッケージ本体１００（フック１１０を備えているものとする）が展開された状態で、芯板３００に巻き付けられたタイツ４００を図６に示す裏返されたパッケージ本体１００の裏面１４４に載置する。このとき、タイツ４００は、裏面１４４の略中央に載置される。シート状のパッケージ本体１００の辺を折り曲げて、
芯板３００に巻き付けられたタイツ４００が内包されるように立体形状に組み立てる。このとき、上方折り込み部１３２と裏面１４４とは接合する必要はなく、また、側方折り込み部１４８と裏面１４４とを接合する必要はない。
【００２６】
フック１１０を上側にすると、フック１１０と芯板３００とは連結されていないため芯板３００に巻き付けられたタイツ４００が落ちてくるので、フック１１０を下側にして（図３で上下を反対にした状態で）、芯板３００に巻き付けられたタイツ４００を内包したパッケージ本体１００に外装フィルム２００を被せる。このとき、フック１１０を穴部２３２から出すようにして、外装フィルム２００を被せる。この折り返し部２３４の開放端部と外装フィルム２００の裏面２４４とを、接着テープ等で接合する。
【００２７】
この後に、上下を反転させて、図１に示すように衣類用パッケージ１０が完成する。上下を反転させると、上述したように、芯板３００に巻き付けられたタイツ４００の横方向（幅）長さＷ（３）は、パッケージ本体１００の横方向（幅）長さＷ（１）よりも小さいので、芯板３００に巻き付けられたタイツ４００が、芯板３００とともに、または、芯板３００から分離して、下方へ移動する。
【００２８】
衣類用パッケージ１０は、販売店の陳列棚の商品吊り下げ棒にフック１１０が吊り下げられて、その表面１４０が購入希望者に見えるように展示販売される。
購入希望者は、図１に示すように吊り下げられて展示された衣類用パッケージ１０を見る。このとき、パッケージ本体１００の表面１４０（および／または裏面１４４）には、展示商品する商品であるタイツ４００の商品名、素材、サイズ、色、特徴、機能、取扱注意事項、製造販売元および価格情報等が表示されているため、購入者の購買意欲を喚起することができる。
【００２９】
また、このとき、タイツ４００（またはタイツ４００および芯板３００）は、パッケージ本体１００の中で重力により下方へ下がっている。このため、タイツ４００の色は、切欠部１２０から透明の外装フィルム２００を通して確認することができる。
購入希望者が、タイツ４００をパッケージ本体１００から出して確認しようとするためには、外装フィルム２００をパッケージ本体１００から外す必要がある。外装フィルム２００の折り返し部２３４の開放端部の接着テープ等を外して、フック１１０を穴部２３２から抜こうとすると、外装フィルム２００が薄い二軸延伸ポリプロピレンフィルムであるので、伸びることなく破れてしまう。このため、外装フィルム２００を外そうとすると外装フィルム２００が破れてしまうため、タイツ４００の全体を多数の第三者が触るといることを回避することができる。
【００３０】
以上のようにして、本実施の形態に係る衣類用パッケージ１０によると、
（１）芯板３００にタイツ４００を巻き付けるのでコンパクトであって、
（２）パッケージ本体１００の表面１４０に切欠部１２０があるのでタイツ４００の色を確認しやすく、
（３）外装フィルム２００で包装されているのでレジ袋が不要なためエコで、
（４）外装フィルム２００を無理に外そうとすると外装フィルム２００が破れるのでタイツ４００を取り出して確認することを抑止でき、
（５）靴下専用でもなくブリーフ専用でもないので、商品が比較的限定されず、
（６）パッケージ本体１００と芯板３００とを別構成としてタイツを芯板３００に巻き付けるので包装作業がしやすい
という効果を発現する。
【００３１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、商品の形状に合わせて、パッケージ本体１００および芯板３００の形状を変更することにより、比較的多くの種類の衣類をコンパクトに包装することができる。また、包装方法としては、先にパッケージ本体１００を立体化しておいて、タイツ４００が巻き付けられた芯板３００をパッケージ本体１００の底側から挿入するようにしても構わな
い。
【産業上の利用可能性】
【００３２】
本発明は、衣類のパッケージに好適であり、タイツやパンティストッキングのような薄手の衣類であって、平面的に折り畳んだ状態で略長方形の形状となる衣類に特に好適である。
【符号の説明】
【００３３】
１０    衣類用パッケージ
１００    パッケージ本体
１１０    フック
１２０    切欠部
１３０    上面
１４０    表面
１４２    左側面
１４４    裏面
１４６    右側面
２００    外装フィルム
３００    芯板
４００    タイツ
【図１】
2013180796.tif 000003
【図２】
2013180796.tif 000004
【図３】
2013180796.tif 000005
【図４】
2013180796.tif 000006
【図５】
2013180796.tif 000007
【図６】
2013180796.tif 000008